【事件の表示】
　上記当事者間の登録第２６６７４３８号商標の登録取消審判事件について，次のとおり審決する。
【結　論】
　登録第２６６７４３８号商標の指定商品中，第３０類「茶，コーヒー及びココア，氷」についての商標登録を取り消す。
　審判費用は，被請求人の負担とする。
【理　由】
第１　本件商標　  
　本件登録第２６６７４３８号商標（以下「本件商標」という。）は，「天使」の文字及び「てんし」の文字を二段に横書きしてなり，平成３年４月５日に登録出願，第２９類に属する商標登録原簿に記載のとおりの商品を指定商品として，同６年５月３１日に設定登録され，その後，同１７年９月２８日に，第３０類「茶，コーヒー及びココア，氷」及び第３２類「清涼飲料，果実飲料」とする指定商品の書換登録がされ，現に有効に存続しているものである。
　なお，本件審判の請求の登録日は，平成３０年６月２８日であり，本件審判の請求の登録前３年以内の期間である同２７年６月２８日から同３０年６月２７日までを，以下「要証期間」という場合がある。　　
第２　請求人の主張  
　請求人は，結論同旨の審決を求め，その理由を要旨以下のように述べた。
　１　請求の理由  
　本件商標は，その指定商品中，第３０類「茶，コーヒー及びココア，氷」について，継続して３年以上日本国内において，商標権者，専用使用権者又は通常使用権者のいずれも使用をしていないものであるから，その登録は商標法第５０条第１項の規定により取消されるべきものである。
　２　答弁に対する弁駁  
　被請求人は，本件商標は，その指定商品中「ココア」について要証期間内に日本国内において，本件商標権者により使用されている旨主張しているが，以下のとおり，商標法第５０条第２項で定める登録商標の使用を証明するに十分なものではないから，本件商標の登録は取り消しを免れないものである。　
（１）被請求人のウェブサイトの画面について
　ア　乙第６号証及び乙第１０号証について，被講求人はこれが広告であることを意図しているのかもしれないが，広告ならば，それが商標法上の「使用」というためには，標章を付して展示，頒布等をしなければならない（商標法第２条第３項第８号）にもかかわらず，被請求人は，その広告を展示，頒布等をしていることを証明してはいない。
　また，商標の使用があるとするためには，当該商標が，必ずしも指定商品そのものに付されて使用されていることは必要でないが，その商品との具体的関係において使用されていることを必要とする（最高裁昭和４２年（行ツ）第３２号）と解されるところ，同様に被請求人が主張する商標法第２条第３項第８号にいう「標章の使用」というためには，「商品に関する広告」に標章を付して展示又は頒布することを要する。すなわち，広告に使用される標章が，広告中において商品との具体的関係において使用されていなければ，商品についての標章の使用があるとはいえない。
　上記の解釈を本件にあてはめるに，乙第６号証ないし乙第１０号証に示される「※『天使』は森永製菓株式会社の登録商標です。」の記載は，「天使」という語が被請求人の登録商標であるとの事実を示したものであって，「天使」という語が商品（本件請求においては商品「ココア」）との具体的な関係において使用されている場合にその付された表示が商標法第２条第３項第８号にいう「標章の使用」に該当するものといい得るものである。
　しかしながら，要証期間において使用していると主張する乙第７号証ないし乙第１０号証においては，商品「ココア」の商品紹介及び掲載されているパッケージ写真のいずれにも「天使」の表示はなく，商品「ココア」との具体的な関係において何ら使用されていない。
　また，乙第１２号証の審決で示されている標章は「※『天使』は森永製菓株式会社の登録商標です。」といった商標登録表示に関する記載ではなく，同列に解することはできない。
　イ　以上のとおり，乙第６号証ないし乙第１０号証は，要証期間内にその広告を展示，頒布等をしていることが証明されておらず，またこれらのウェブサイトの画面に記載されている「※『天使』は森永製菓株式会社の登録商標です。」の記載は，本件審判請求に係る商品との具体的関係のない事実の表示であって，本件商標に係る「商品に関する広告」に標章を付して展示又は頒布する使用されているものではないのであるから，本件商標を請求に係る商品に使用したことを客観的に証明したとはいえない。
　したがって，乙第６号証ないし乙第１０号証及び乙第１２号証は，商標法第５０条第２項で定める登録商標の使用を証明するに十分なものということはできない。
（２）本件商品のパッケージについて
　乙第１３号証においては，本件商品のパッケージの展開図の写しが示されているのみであって，要証期間内に本件審判の請求に係るパッケージ（包装用箱）として使用（譲渡等）された事実を客観的に証明していない。
　また，要証期間内でのウェブサイトと主張する乙第７号証ないし乙第１０号証のウェブサイトにおける商品「ココア」の写真が掲載されている箇所には，乙第１３号証とは明らかに異なる包装用箱が掲載されており，少なくとも要証期間内には乙第１３号証とは異なる包装用箱が使用されていることがうかがえる。
　以上のとおり，乙第１３号証において示されている本件商品の包装用箱は，要証期間内において譲渡等の取引で使用されていることが証明されていないのであるから，本件審判請求に係る指定商品のいずれかについての商標の使用を証明したということはできない。
（３）被請求人が示す判決・審決について
　被請求人が示す乙第７号証ないし乙第１０号証における「※『天使』は森永製菓株式会社の登録商標です。」の表示は，「天使」という語が登録商標表示であることを示すのみの記載であって，請求に係る何らかの具体的な商品について付されたものではなく，被請求人が示す判決・審決で示される基準における「商標がその商品について」使用されていないため，商標法第５０条第２項で定める登録商標の使用を証明するに十分なものということはできないのであって，これら判決及び審決で示された内容に何ら相違するものではない。
　以上により，乙第１４号証ないし乙第１７号証において示されている判決及び審決は，請求人のこれまでの主張とは相違するものではなく，むしろ請求人の主張を裏付けるものである。
（４）まとめ
　以上述べたとおり，被請求人によって提出された答弁書及びその証拠書類によっては，本件商標権者又はその使用権者が，本件商標を要証期間内に，その請求に係る指定商品のいずれかについて使用していたということはできない。
　よって，被請求人は，商標法第５０条第２項で定める登録商標の使用を証明していないから，本件商標の上記請求に係る指定商品についての商標登録は取り消されるべきである。
第３　被請求人の主張 
　被請求人は，本件審判の請求は成り立たない，審判費用は請求人の負担とする，との審決を求め，その理由を要旨次のように述べ，証拠方法として，乙第１号証ないし乙第１７号証を提出した。
　１　答弁の理由
　本件商標は，本件商標権者によって，本件審判の請求に係る指定商品中の「ココア」（以下「本件商品」という場合がある。）に使用されている。
（１）被請求人等について
　被請求人（本件商標権者）は，日本有数の菓子・食品の製造・販売を業とする会社であり，「天使（エンゼル）」を創業の精神を体現するシンボルとして，天使図形からなる標章を採用し，明治３８年（１９０５年）以来１世紀以上の長きにわたって自社製品に使用し続けている。これは，裁判所においても認められており（乙１）。特許庁における審判事件においても，天使図形のみならず，「天使」，「てんし＼天使」，又は，「てんし＼天使＼テンシ」等の語からなる商標については，強い出所識別能力を有していることが認定されている（乙２〜乙５）。
（２）本件商標の使用について
　被請求人は，「天使」の語からなる商標（以下「本件使用商標」という場合がある。）を，本件商品について，要証期間内に使用している。
　ア　被請求人のウェブサイト画面
　乙第６号証は，被請求人が提供している「森永天使のお菓子レシピ」の画面（以下「本件レシピ画面」という。）の写しである。本件レシピ画面は，自社商品を宣伝するとともに，自社商品を使用した菓子・副菜等のレシピを紹介することによって，当該商品の拡販を目的とするものである。本件レシピ画面では，被請求人の商品である「ココア」や「チョコレート」等の宣伝広告がなされており，その下には，「※『天使』は森永製菓株式会社の登録商標です。」との表示がなされている。これらの行為は，商標法第２条第３項第８号の「商品若しくは役務に関する広告，価格表若しくは取引書類に標章を付して展示し，若しくは頒布し，又はこれらを内容とする情報に標章を付して電磁的方法により提供する行為」にあたる。
　乙第７号証は，ウェイバック機能を使用して入手した，平成２７年（２０１５年）１１月４日付の本件レシピ画面の写しである。また，乙第８号証ないし乙第１０号証は，それぞれ，同２８年（２０１６年）５月２日，同２９年（２０１７年）５月３０日，同３０年（２０１８年）５月２９日時点の本件レシピ画面である。本件レシピ画面には，例外なく，被請求人の商品である「ココア」や「チョコレート」等の商品の宣伝広告に加えて，「※『天使』は森永製菓株式会社の登録商標です。」の表示がなされている。この表示中の「天使」の表示部分は，括弧で他の文字と分けて記載されていることから，需要者にも視覚的に分離して看取され，独立して自他商品の識別機能を果たしている。この記載に関するブログもあるほどである（乙１１）。
　したがって，本件商標は，要証期間内に使用されている。
　この点，特許庁の審判においても，メールマガジン及びＷｅｂ版に表示された商標について「メールマガジン及びＷｅｂ版には，加工食料品を中心とした被請求人商品に直接関係し，被請求人商品を広告宣伝する情報が掲載されているから，メールマガジン及びＷｅｂ版は，顧客に被請求人商品を認知させ理解を深め，いわば，電子情報によるチラシとして，被請求人商品の宣伝媒体としての役割を果たしているものということができる。このように，メールマガジン及びＷｅｂ版が，被請求人商品を宣伝する目的で配信され，多数のリンクにより，直接加工食料品等の被請求人商品を詳しく紹介する被請求人ウェブサイトの商品カタログ等のページにおいて商品写真や説明を閲覧することができる仕組みになっていることに照らすと，メールマガジン及びＷｅｂ版は，被請求人商品に関する広告又は被請求人商品を内容とする情報ということができ，そこに表示された『クラブハウス』標章は，被請求人の加工食料品との具体的関係において使用されているものということができる。」と認定し，商標としての使用にあたると判断している（乙１２）。
　イ　本件商品のパッケージ
　乙第１３号証は，本件商品のパッケージの展開図の写しである（ただし，接合面は切除）。この商品の側面には，「天使ＴＭ（上付き文字）のココア＼純ココア」と表示されている。被請求人による係る行為が，商標法第２条第３項第１号の「商品又は商品の包装に標章を付する行為」にあたることは明らかであり，かつ，ＴＭの文字を付すことで，「天使」が商標であることを示している。また，「天使」の部分は，需要者にも視覚的に分離して看取されるから，独立して自他商品の識別機能を果たしている。
（３）上記ア及びイの使用態様と商標法第５０条第１項に基づく審判における登録商標の使用について
　本件使用商標は，上記のとおり，本件商品の宣伝広告として，又は，本件商品に直接付して使用されている。
　したがって，本件商標がそのまま菓子商品の名称でなかったとしても，商標法第５０条第１項に基づく審判における登録商標の使用にあたる。この点は，乙第１４号証ないし乙第１７号証の事件においても，同様に判断されている。
（４）本件商標と本件使用商標の同一性
　本件商標は，漢字の「天使」を大書し，その下に平仮名の「てんし」と付記してなる。他方，本件使用商標は「天使」の語のみからなる。これは「登録商標が二段併記等の構成からなる場合であって，上段及び下段等の各部が観念を同一とするときに，その一方の使用」に該当するから，登録商標の使用であることは明らかである。
　以上より，本件商標は，要証期間内に，本件商標権者によって，指定商品である本件商品（ココア）について，広告又は商品そのものに付して使用されているから，本件審判の請求は成り立たない。
第４　審尋及び被請求人の回答
　１　審尋
　審判長は，令和２年６月１７日付け審尋において，被請求人に対し，被請求人が提出した証拠によっては，被請求人が商標法第５０条第２項に規定する本件商標の使用をしている事実を証明したものとは認めることができない旨の合議体の暫定的見解及び請求人提出の審判事件弁駁書に対する回答を求めた。
　２　被請求人の回答
　被請求人は，上記１の審尋に対し何らの応答もしていない。
  
第５　当審の判断 
　１　被請求人の主張及び同人の提出に係る証拠によれば，以下のとおりである。  
（１）乙第６号証ないし乙第１０号証は，本件商標権者のウェブサイト画面の写しであるところ，いずれも表題を「森永天使のお菓子レシピ」とし，「条件検索」の項に列挙された商品の中には，「森永ココア」の文字とともにパッケージに「ＣＯＣＯＡ」の表示がある商品の画像が掲載されているが，当該商品の画像は小さく不鮮明であり，当該掲載商品における商標の表示の有無など，その詳細は確認できない。
　また，当該ウェブサイト画面には「※『天使』は森永製菓株式会社の登録商標です。」の記載がある。
（２）乙第１３号証は，本件商標権者の商品「ココア」のパッケージの展開図（写し）であるところ，これには側面部分に「天使ＴＭのココア／純ココア」（「ＴＭ」の文字は上部に小さく書されている。）と表示されているが，製造日や消費期限といった日付の記載はない。
（３）乙第１号証ないし乙第５号証，乙第１２号証及び乙第１４号証ないし乙第１７号証は，過去の審決及び判決である。 
（４）乙第１１号証は２０１３年（平成２５年）３月１７日に掲載された他人のブログ記事の写しである。
　２　上記１によれば，当審の判断は，以下のとおりである。
（１）乙第６号証ないし乙第１０号証について
　被請求人（本件商標権者）は，乙第６号証ないし乙第１０号証は本件商標権者のウェブサイト画面の写しであり，「ココア」や「チョコレート」等の広告とともに，「※『天使』は森永製菓株式会社の登録商標です。」の表示がされていることをもって商標法第２条第３項第８号の使用にあたる旨主張する。
　しかしながら，「※『天使』は森永製菓株式会社の登録商標です。」の表示とウェブサイト画面（乙６〜乙１０）に掲載された商品との関係が不明であることから，当該表示は，単に本件商標権者の所有する商標について説明した文章にすぎないというべきであって，また，当該表示をもって，本件商標権者が要証期間内に商品「ココア」について本件商標を使用したと認めることはできない。
（２）乙第１３号証について
　被請求人は，乙第１３号証はココアのパッケージの展開図（写し）であり，側面部分に「天使ＴＭのココア／純ココア」（「ＴＭ」の文字は上部に小さく書されている。）と表示されていることから商標法第２条第３項第１号の使用にあたる旨主張している。
　しかしながら，上記パッケージの展開図は製造日や消費期限といった日付が記載されていない，あくまでも展開図であって，商品「ココア」に上記商標が使用されたということは困難であり，また，本件商標権者のウェブサイト画面の写し（乙６〜乙１０）に掲載された商品との関係も不明である。
（３）その他，上記１（３）は、本件商標の使用を立証するための直接的な証拠とはいえないし、また、上記１（４）は、要証期間外の証拠である。
（４）小括 
　上記（１）ないし（３）のとおり，被請求人が提出した全証拠によっては，要証期間に被請求人（本件商標権者）が，本件審判の請求に係る指定商品について，本件商標（社会通念上同一と認められる商標を含む。）の商標法第２条第３項各号にいう使用があったことを認めるに足る事実を見いだせない。
　３　まとめ  
　以上のとおり，被請求人は，本件審判の請求の登録前３年以内に日本国内において，本件商標権者，通常使用権者又は専用使用権者のいずれかが，その請求に係る指定商品について，本件商標の使用をしていることを証明したものということができない。
　また，被請求人は，本件商標の使用をしていないことについて正当な理由があることも明らかにしていない。
　したがって，本件商標の登録は，商標法第５０条の規定により，取り消すべきものである。
　よって，結論のとおり審決する。